(57)【要約】【課題】複数の電子機器への選択的な動作の指示を容易に行うことができる機器操作選択装置及び機器操作選択方法等を提供する。【解決手段】動作履歴情報群を取得する（ステップＳ１０２）。動作履歴情報群は各機器の動作履歴をまとめたテーブルである。動作履歴情報群に含まれる動作を実行回数が多い順に並べたリストの情報を作成し（ステップＳ１０３）、これに基づく動作内容選択画面を表示させる。動作の内容の選択を示すコマンドを認識すると、動作履歴情報群に含まれる機器のうちで選択された動作を実行可能なものを並べたリストの情報を作成し（ステップＳ１０５）、これに基づく操作対象選択画面を表示させる。機器の選択を示すコマンドを認識すると、当該機器へのステップＳ１０４において選択された動作の実行を指示する制御コマンドを作成し、これを動作制御信号発生部１２又はネットワークインターフェース１３に送信させる（ステップＳ１０７）。【選択図】図３
2009206985.tif 000002
【特許請求の範囲】
【請求項１】
電子機器から当該電子機器が行った動作及びその時刻情報を含む動作履歴情報を受信する受信手段と、
前記受信手段により受信された動作履歴情報を記憶する記憶手段と、
前記記憶手段により記憶されている動作履歴情報に含まれる動作を、所定の期間内での実行回数が多い順に並べて表示手段に表示させる第１の表示制御手段と、
前記第１の表示制御手段により表示させられた動作から一つのものが選択されると、当該動作を行った履歴が前記記憶手段により記憶されている動作履歴情報に含まれている電子機器を、前記所定の期間内での実行回数が多い順に並べて前記表示手段に表示させる第２の表示制御手段と、
前記第２の表示制御手段により表示させられた電子機器から一つのものが選択されると、当該電子機器に対して前記選択された動作の実行を示す動作制御信号を送信する送信手段と、
を有することを特徴とする機器操作選択装置。
【請求項２】
前記所定の期間の外部からの設定を受け付ける期間受付手段を有することを特徴とする請求項１に記載の機器操作選択装置。
【請求項３】
前記所定の期間は、１日を複数に分割して得られる時間帯であることを特徴とする請求項１又は２に記載の機器操作選択装置。
【請求項４】
前記所定の期間は、日数単位の期間であることを特徴とする請求項１又は２に記載の機器操作選択装置。
【請求項５】
電子機器から当該電子機器が行った動作及びその時刻情報を含む動作履歴情報を受信する受信ステップと、
前記受信ステップにおいて受信した動作履歴情報を記憶手段に記憶させる記憶ステップと、
前記記憶手段により記憶されている動作履歴情報に含まれる動作を、所定の期間内での実行回数が多い順に並べて表示手段に表示させる第１の表示制御ステップと、
前記第１の表示制御ステップにおいて表示させた動作から一つのものが選択されると、当該動作を行った履歴が前記記憶手段により記憶されている動作履歴情報に含まれている電子機器を、前記所定の期間内での実行回数が多い順に並べて前記表示手段に表示させる第２の表示制御ステップと、
前記第２の表示制御ステップにおいて表示させた電子機器から一つのものが選択されると、当該電子機器に対して前記選択された動作の実行を示す動作制御信号を送信する送信ステップと、
を有することを特徴とする機器操作選択方法。
【請求項６】
コンピュータに、
電子機器から当該電子機器が行った動作及びその時刻情報を含む動作履歴情報を受信する受信ステップと、
前記受信ステップにおいて受信した動作履歴情報を記憶手段に記憶させる記憶ステップと、
前記記憶手段により記憶されている動作履歴情報に含まれる動作を、所定の期間内での実行回数が多い順に並べて表示手段に表示させる第１の表示制御ステップと、
前記第１の表示制御ステップにおいて表示させた動作から一つのものが選択されると、当該動作を行った履歴が前記記憶手段により記憶されている動作履歴情報に含まれている電子機器を、前記所定の期間内での実行回数が多い順に並べて前記表示手段に表示させる第２の表示制御ステップと、
前記第２の表示制御ステップにおいて表示させた電子機器から一つのものが選択されると、当該電子機器に対して前記選択された動作の実行を示す動作制御信号を送信する送信ステップと、
を実行させることを特徴とするプログラム。
【発明の詳細な説明】
【技術分野】
【０００１】
本発明は、例えば家庭用電子機器等の複数の電子機器の統合的な遠隔操作に好適な機器操作選択装置及び機器操作選択方法等に関する。
【背景技術】
【０００２】
一般家庭における宅内の家電機器には、赤外線を利用した遠隔操作機能、いわゆるリモートコントロール機能が装備されているものがある。このような家電機器としては、テレビジョン受像機（ＴＶ）、ＤＶＤプレーヤ、エアーコンディショナ等が挙げられる。これらの家電機器の使用に当たっては、各家電機器の夫々に対応するリモートコントローラを操作するか、又は各家電機器を直接操作する必要がある。従って、ユーザは各リモートコントローラの操作手順を覚えたり、各家電機器の直接の操作の手順を覚えたりする必要がある。また、リモートコントローラは可搬性を備えているので、その保管場所を決めておかなければ、その所在が分からなくなる場合もあり、家電機器の増加に伴ってリモートコントローラの数が多くなるほど、このような事態が頻繁に起こりやすくなる。このような場合、リモートコントローラを使用しようとしたときに、そのリモートコントローラを探し出さなければならない。そして、リモートコントローラが見つからない場合には、家電機器のところまで移動して直接操作しなければならず、いずれにしても手間がかかる。
【０００３】
そこで、最近では、ＴＶ及びＤＶＤプレーヤ等の複数種のオーディオ・ビジュアル機器（ＡＶ機器）に共通に使用することができるようにしたリモートコントローラが普及している。このようなリモートコントローラは、マルチリモコンとよばれることがあり、その一例が特許文献１に記載されている。
【０００４】
特許文献１に記載のマルチリモコンには、メニュー表示キーが設けられており、このマルチリモコンに対応するＴＶには、メニュー表示キーが操作された場合に、操作可能なＡＶ機器の操作内容選択画面を表示する機能が設けられている。そして、操作対象がＶＴＲである場合には、マルチリモコンのカーソル操作により、この操作内容選択画面で「再生」、「録画」等の項目を選択できるようにしてある。また、いずれのＡＶ機器の操作内容選択画面にも「操作選択」の項目が設けられており、マルチリモコンのカーソル操作によってこれが選択されると、ＴＶの画面が「操作対象選択画面」となるように構成されている。そして、ユーザが、「操作対象選択画面」からマルチリモコンによる操作の対象とするＡＶ機器を切り替えることができるように構成されている。
【０００５】
なお、一般家庭にはリモートコントロール機能が装備されていない家電機器もあり、このような家電機器として、洗濯機、冷蔵庫、炊飯器等が挙げられる。これらの機器を使用する際に、ユーザは直接操作する必要がある。
【０００６】
【特許文献１】特開平５−７６０６８号公報
【発明の開示】
【発明が解決しようとする課題】
【０００７】
しかしながら、従来のマルチリモコンでは、使用の度にＡＶ機器に固有の操作を行う必要があり、マルチリモコンのどのボタンがどのような機能に該当しているかをユーザが認識していなければならない。また、対応可能な機器はＡＶ機器に限定されている。
【０００８】
本発明は、複数の電子機器への選択的な動作の指示を容易に行うことができる機器操作選択装置及び機器操作選択方法等を提供することを目的とする。
【課題を解決するための手段】
【０００９】
本願発明者は、前記課題を解決すべく鋭意検討を重ねた結果、以下に示す発明の諸態様に想到した。
【００１０】
本発明に係る機器操作選択装置は、電子機器から当該電子機器が行った動作及びその時刻情報を含む動作履歴情報を受信する受信手段と、前記受信手段により受信された動作履歴情報を記憶する記憶手段と、前記記憶手段により記憶されている動作履歴情報に含まれる動作を、所定の期間内での実行回数が多い順に並べて表示手段に表示させる第１の表示制御手段と、前記第１の表示制御手段により表示させられた動作から一つのものが選択されると、当該動作を行った履歴が前記記憶手段により記憶されている動作履歴情報に含まれている電子機器を、前記所定の期間内での実行回数が多い順に並べて前記表示手段に表示させる第２の表示制御手段と、前記第２の表示制御手段により表示させられた電子機器から一つのものが選択されると、当該電子機器に対して前記選択された動作の実行を示す動作制御信号を送信する送信手段と、を有することを特徴とする。
【００１１】
本発明に係る機器操作選択方法は、電子機器から当該電子機器が行った動作及びその時刻情報を含む動作履歴情報を受信する受信ステップと、前記受信ステップにおいて受信した動作履歴情報を記憶手段に記憶させる記憶ステップと、前記記憶手段により記憶されている動作履歴情報に含まれる動作を、所定の期間内での実行回数が多い順に並べて表示手段に表示させる第１の表示制御ステップと、前記第１の表示制御ステップにおいて表示させた動作から一つのものが選択されると、当該動作を行った履歴が前記記憶手段により記憶されている動作履歴情報に含まれている電子機器を、前記所定の期間内での実行回数が多い順に並べて前記表示手段に表示させる第２の表示制御ステップと、前記第２の表示制御ステップにおいて表示させた電子機器から一つのものが選択されると、当該電子機器に対して前記選択された動作の実行を示す動作制御信号を送信する送信ステップと、を有することを特徴とする。
【発明の効果】
【００１２】
本発明によれば、実行回数が多い順に動作及び電子機器が表示手段に表示されるため、ユーザは表示手段を見ながら、所望の機器に対する所望の指示を選択することができる。従って、電子機器とリモートコントローラのボタン等との関係を認識していなくとも、ユーザは所望の指示を容易かつ簡易に送ることができる。
【発明を実施するための最良の形態】
【００１３】
以下、本発明の実施形態について添付の図面を参照して具体的に説明する。図１は、本発明の実施形態に係る機器操作選択装置の構成を示すブロック図である。
【００１４】
この機器操作選択装置１０には、リモコン入力解析部１１、動作制御信号発生部１２、ネットワークインターフェース１３、ＲＡＭ１４、ＣＰＵ１５、映像合成部１６及びＲＯＭ１７が設けられている。
【００１５】
リモコン入力解析部１１は、リモートコントローラ３０から信号（例えば、赤外線信号）を受け取り、これを電気信号に変換し、そのデコードを行い、受信した信号が示すコマンドを解析する。
【００１６】
ＲＡＭ１４は、リモコン入力解析部１１によるコマンドを一時的に記憶する。ＣＰＵ１５は、ＲＯＭ１７に記憶されている所定のプログラムに基づいて、ＲＡＭ１４に記憶されているコマンドを読み取り、このコマンドの内容に応じて、所定の画面を映像合成部１６に作成させ、これを表示部２０に表示させる。表示部２０の形態は、例えばＣＲＴ、ＬＣＤ又はＰＤＰ等である。
【００１７】
表示部２０によって表示される所定の画面としては、操作の対象とする機器の選択を促す操作対象選択画面、及び操作対象機器に行わせようとする動作の内容の選択を促す動作内容選択画面が挙げられ、これらの一方又は両方がコマンドに応じて表示される。操作の対象となり得る機器は、電子機器群４０に含まれる機器であり、例えば、電子制御暖房機、パーソナルコンピュータ（ＰＣ）、電子制御風呂、電子制御ライト、ＤＶＤプレーヤ、ＣＤプレーヤ、電子制御床暖房及びプリンタ等が含まれる。また、ＣＰＵ１５は、電子機器群４０に含まれる機器に固有のＩＤ番号を付して、これらを識別する。
【００１８】
また、ＣＰＵ１５は、操作対象選択画面又は動作内容選択画面が表示されている状態で、リモートコントローラ３０からリモコン入力解析部１１及びＲＡＭ１４を介して所定のコマンドを受け取ると、これに応じた動作を行う。例えば、操作対象選択画面が表示されている状態では、機器の制御コマンドを作成し、この制御コマンドが、ＲＡＭ１４に一時的に記憶され、動作制御信号発生部１２がこの制御コマンドを動作制御信号として、操作対象機器に向けて発生させる。なお、ネットワークインターフェース１３が制御コマンドを操作対象機器に送信してもよい。
【００１９】
更に、ＣＰＵ１５は、電子機器群４０に含まれる機器に対してネットワークインターフェース１３を介して動作履歴情報の送信を要求し、各機器からの動作履歴情報をネットワークインターフェース１３を介して受け取り、これをＲＡＭ１４に一時的に記憶させる。ＣＰＵ１５は、予め定められた時間帯毎に動作履歴情報の送信要求を行う。つまり、ＣＰＵ１５は、定期的に送信要求を行う。ＣＰＵ１５は、例えば、１日を午前と午後との２つの時間帯に分割している場合には、午前０時及び午後０時に送信要求を行う。そして、ＣＰＵ１５は、ＲＡＭ１４に記憶されている動作履歴情報を、例えば動作の内容毎に分類する。動作履歴情報の内容については後述する。
【００２０】
なお、機器操作選択装置１０と表示部２０とが同一のテレビジョン受像機に収容されていてもよく、表示部２０のみがテレビジョン受像機に収納されて、機器操作選択装置１０がこれに接続されていてもよい。また、他の態様を採用してもよい。
【００２１】
ここで、動作履歴情報の内容について説明する。動作履歴情報は、電子機器群４０を構成する機器毎に作成され、機器毎にその内部で管理される。また、動作履歴情報は、当該機器においてどのような動作がいつ行われたかを示し、機器操作選択装置１０からのコマンドに基づく動作又は当該機器に設けられたスイッチ等を介しての直接の操作に基づく動作が行われると、その度に更新される。例えば、電子機器群４０に暖房機が含まれている場合に、当該暖房機において、電源ＯＮの動作、温度調整の動作及び電源ＯＦＦの動作がこの順で行われると、これらの動作の度に動作履歴情報が更新される。この結果、当該暖房機では、これらの３つの動作の内容及び日時（時刻情報）を示す動作履歴情報が作成され管理される。そして、ＣＰＵ１５から動作履歴情報の送信要求があると、この動作履歴情報がＣＰＵ１５に対して送信される。
【００２２】
次に、ＣＰＵ１５による動作履歴情報の処理について説明する。先ず、ここでは、電子機器群４０に、電子制御暖房機、ＰＣ、電子制御風呂、電子制御ライト、ＤＶＤプレーヤ、ＣＤプレーヤ、電子制御床暖房及びプリンタが含まれているとする。また、ここでは、暖房機に「００１」のＩＤ番号が付され、ＤＶＤプレーヤに「００２」のＩＤ番号が付され、電子制御床暖房に「００３」のＩＤ番号が付され、プリンタに「０００４」のＩＤ番号が付されているとする。更に、電子制御風呂に「００５」のＩＤ番号が付され、ＣＤプレーヤに「００６」のＩＤ番号が付され、ＰＣに「００７」のＩＤ番号を付され、電子制御ライトに「００８」のＩＤ番号を付されているとする。
【００２３】
また、２００６年１２月２２日の午前に次のような動作が行われたとする。
（ａ）午前７時０分２１秒に、暖房機において電源ＯＮ
（ｂ）午前７時１分１０秒に、暖房機において温度調整
（ｃ）午前７時５０分５３秒に、暖房機において電源ＯＦＦ
（ｄ）午前７時５分２０秒に、ＰＣにおいて電源ＯＮ
（ｅ）午前７時５１分４３秒に、ＰＣにおいて電源ＯＦＦ
（ｆ）午前７時１５分２１秒に、電子制御風呂において電源ＯＮ及び湯沸かし開始
（ｇ）午前７時１５分５６秒に、電子制御風呂において温度調整
（ｈ）午前７時３４分４３秒に、電子制御ライトにおいて電源ＯＮ
（ｉ）午前７時２５分５３秒に、電子制御ライトにおいて電源ＯＦＦ
【００２４】
また、２００６年１２月２２日の午後には次のような動作が行われたとする。
（Ａ）午後８時５０分３２秒に、暖房機において電源ＯＮ
（Ｂ）午後８時５１分３２秒に、暖房機において温度調整
（Ｃ）午後１１時７分３２秒に、暖房機において電源ＯＦＦ
（Ｄ）午後８時５６分２１秒に、ＤＶＤプレーヤにおいて電源ＯＮ
（Ｅ）午後９時１２分４３秒に、ＤＶＤプレーヤにおいて再生開始
（Ｆ）午後９時１３分３２秒に、ＤＶＤプレーヤにおいて音量調整
（Ｇ）午後１１時６分３２秒に、ＤＶＤプレーヤにおいて電源ＯＦＦ
（Ｈ）午後９時４３分４３秒に、電子制御床暖房において電源ＯＮ
（Ｉ）午後９時４５分２１秒に、電子制御床暖房において温度調整
（Ｊ）午後１１時５分３４秒に、電子制御床暖房において電源ＯＦＦ
（Ｋ）午後９時５３分１９秒に、プリンタにおいて電源ＯＮ
（Ｌ）午後９時５５分１１秒に、プリンタにおいて電源ＯＦＦ
（Ｍ）午後９時５８分５秒に、電子制御風呂において電源ＯＮ及び湯沸かし開始
（Ｎ）午後９時５８分１２秒に、電子制御風呂において温度調整
（Ｏ）午後１０時４３分３２秒に、ＣＤプレーヤにおいて電源ＯＮ
（Ｐ）午後１０時５４分３３秒に、ＣＤプレーヤにおいて再生開始
（Ｑ）午後１０時５４分５５秒に、ＣＤプレーヤにおいて音量調整
（Ｒ）午後１１時９分３２秒に、ＣＤプレーヤにおいて電源ＯＦＦ
【００２５】
これらの動作及びその日時を示す動作履歴情報は、ＣＰＵ１５に送信されるまでの間、上述のように、各機器の内部で管理される。そして、ＣＰＵ１５が、２００６年１２月２２日の午後０時に各機器に対して動作履歴情報の送信を要求すると、上記の（ａ）〜（ｉ）の情報がこれらの情報を管理していた機器からＣＰＵ１５に対して送信される。ＣＰＵ１５は、受信手段として、これらの動作履歴情報を受信すると、図２Ａに示すように、各動作を時系列に並べたテーブル５１を作成する。また、ＣＰＵ１５が、２００６年１２月２３日の午前０時に各機器に対して動作履歴情報の送信を要求すると、上記の（Ａ）〜（Ｒ）の情報がこれらの情報を管理していた機器からＣＰＵ１５に対して送信される。ＣＰＵ１５は、これらの動作履歴情報を受け取ると、図２Ｂに示すように、各動作を時系列に並べたテーブル５２を作成する。つまり、ＣＰＵ１５は、機器名、そのＩＤ番号、動作の内容及び動作日時から構成されたテーブル５１及び５２を動作履歴情報群として作成する。これらのテーブル５１及び５２はＲＡＭ１４（記憶手段）に記憶される。
【００２６】
次に、ＣＰＵ１５による、映像合成部１６に作成させ表示部２０に表示させる画面の内容（表示内容）の決定方法について説明する。図３は、ＣＰＵ１５による表示内容の決定方法を示すフローチャートである。
【００２７】
ＣＰＵ１５は、リモートコントローラ３０からの所定のコマンドを受け取ると、動作を開始し、先ず、現在時刻が属する時間帯を認識する（ステップＳ１０１）。
【００２８】
次いで、ＣＰＵ１５は、ＲＡＭ１４から現在時刻が属する時間帯の動作履歴情報群を取得する（ステップＳ１０２）。
【００２９】
その後、ＣＰＵ１５は、ステップＳ１０２において取得した動作履歴情報群に含まれる動作を実行回数が多い順に並べたリストの情報を作成する（ステップＳ１０３）。なお、実行回数が等しい動作が複数存在する場合、その順序は任意であり、例えば、最初に実行された日時の順に並べてもよい。そして、ＣＰＵ１５は、第１の表示制御手段として、映像合成部１６に、このリストの情報に基づく動作内容選択画面の画像データを作成させ、表示部２０に動作内容選択画面を表示させる。つまり、ＣＰＵ１５は、ユーザに対して、表示部２０を介して、所望の機器に行わせようとする動作の内容の選択を促す。
【００３０】
続いて、ＣＰＵ１５は、リモートコントローラ３０から動作の内容の選択を示すコマンドが入力されたか判断する（ステップＳ１０４）。
【００３１】
ＣＰＵ１５は、動作の内容の選択を示すコマンドを認識すると、ステップＳ１０２において取得した動作履歴情報群に含まれる機器のうちでステップＳ１０４において選択された動作を実行可能なものを並べたリストの情報を作成する（ステップＳ１０５）。このとき、ＣＰＵ１５は、実行可能な機器を当該動作の実行回数が多い順に並べる。なお、実行回数が等しい機器が複数存在する場合、その順序は任意であり、例えば、最初に実行された日時の順に並べてもよい。そして、ＣＰＵ１５は、第２の表示制御手段として、映像合成部１６に、このリストの情報に基づく操作対象選択画面の画像データを作成させ、表示部２０に操作対象選択画面を表示させる。つまり、ＣＰＵ１５は、ユーザに対して、表示部２０を介して、所望の動作を行わせようとする機器の選択を促す。
【００３２】
次いで、ＣＰＵ１５は、リモートコントローラ３０から機器の選択を示すコマンドが入力されたか判断する（ステップＳ１０６）。
【００３３】
ＣＰＵ１５は、機器の選択を示すコマンドを認識すると、当該機器へのステップＳ１０４において選択された動作の実行を指示する制御コマンドを作成し、これを動作制御信号発生部１２又はネットワークインターフェース１３に送信させる（ステップＳ１０７）。このとき、ＣＰＵ１５と、動作制御信号発生部１２又はネットワークインターフェース１３とが送信手段として機能する。
【００３４】
ここで、図２Ａ及び図２Ｂに示す動作履歴情報群が作成されている場合の動作について説明する。
【００３５】
ＣＰＵ１５が、２００６年１２月２３日の午前８時に図３に示す処理を開始すると、ＣＰＵ１５は、ステップＳ１０１において、図２Ａに示すテーブル５１を取得し、ステップＳ１０２において、図４Ａに示す動作のリスト５３を作成する。つまり、ＣＰＵ１５は、テーブル５１を参照して、機器名及びそのＩＤに拘わらず、実行回数が多い動作から順に並べたリスト５３を作成する。
【００３６】
そして、図５Ａに示すように、このリスト５３に基づく動作内容選択画面７１が表示部２０により表示される。このとき、映像合成部１６及び表示部２０は、例えばデフォルトの状態では、最も上に位置する動作にカーソルを合わせる。
【００３７】
リモートコントローラ３０のカーソルキー等を用いて、動作内容選択画面７１に表示されている動作から「電源ＯＮ」が選択されると（ステップＳ１０４）、ＣＰＵ１５は、ステップＳ１０５において、図４Ｂに示す機器のリスト５４を作成する。つまり、ＣＰＵ１５は、テーブル５１を参照して、「電源ＯＮ」の動作が行われた機器を実行回数が多い順に並べたリスト５４を作成する。
【００３８】
そして、図５Ｂに示すように、このリスト５４に基づく操作対象選択画面７２が表示部２０により表示される。このとき、映像合成部１６及び表示部２０は、例えばデフォルトの状態では、最も上に位置する機器にカーソルを合わせる。なお、図５Ｂでは、操作対象選択画面７２と共に動作内容選択画面７１が表示されているが、操作対象選択画面７２のみが表示されてもよい。
【００３９】
リモートコントローラ３０のカーソルキー等を用いて、操作対象選択画面７２に表示されている機器から「暖房機」が選択されると（ステップＳ１０６）、ＣＰＵ１５は、ステップＳ１０７において、「暖房機」に対する「電源ＯＮ」の制御コマンドを作成する。そして、ＣＰＵ１５は、この制御コマンドを動作制御信号発生部１２又はネットワークインターフェース１３を介して「暖房機」に送信する。
【００４０】
一方、ＣＰＵ１５が、２００６年１２月２３日の午後８時に図３に示す処理を開始すると、ＣＰＵ１５は、ステップＳ１０１において、図２Ｂに示すテーブル５２を取得し、ステップＳ１０２において、図６Ａに示す動作のリスト５５を作成する。つまり、ＣＰＵ１５は、テーブル５２を参照して、機器名及びそのＩＤに拘わらず、実行回数が多い動作から順に並べたリスト５５を作成する。
【００４１】
そして、図７Ａに示すように、このリスト５５に基づく動作内容選択画面８１が表示部２０により表示される。このときも、映像合成部１６及び表示部２０は、例えばデフォルトの状態では、最も上に位置する動作にカーソルを合わせる。
【００４２】
リモートコントローラ３０のカーソルキー等を用いて、動作内容選択画面８１に表示されている動作から「音量調整」が選択されると（ステップＳ１０４）、ＣＰＵ１５は、ステップＳ１０５において、図６Ｂに示す機器のリスト５６を作成する。つまり、ＣＰＵ１５は、テーブル５２を参照して、「音量調整」の動作が行われた機器を実行回数が多い順に並べたリスト５６を作成する。
【００４３】
そして、図７Ｂに示すように、このリスト５６に基づく操作対象選択画面８２が表示部２０により表示される。このときも、映像合成部１６及び表示部２０は、例えばデフォルトの状態では、最も上に位置する機器にカーソルを合わせる。なお、図７Ｂでは、操作対象選択画面８２と共に動作内容選択画面８１が表示されているが、操作対象選択画面８２のみが表示されてもよい。
【００４４】
リモートコントローラ３０のカーソルキー等を用いて、操作対象選択画面８２に表示されている機器から「ＤＶＤプレーヤ」が選択されると（ステップＳ１０６）、ＣＰＵ１５は、ステップＳ１０７において、「ＤＶＤプレーヤ」に対する「音量調整」の制御コマンドを作成する。そして、ＣＰＵ１５は、この制御コマンドを動作制御信号発生部１２又はネットワークインターフェース１３を介して「ＤＶＤプレーヤ」に送信する。
【００４５】
このような本実施形態によれば、前日の同じ時間帯における機器の使用状況を反映した選択画面が表示されるため、ユーザは電子機器群４０に含まれる多くの機器から、その時間帯に頻繁に使用する機器及び実行する動作を容易に選択することができる。また、ＡＶ機器だけでなく、機器操作選択装置１０に接続可能な機器であれば、一つのリモートコントローラ３０を用いて遠隔操作することができる。
【００４６】
なお、ＣＰＵ１５が区切る時間帯は１日当たり２つである必要はなく、３つ以上の時間帯に区切られてもよい。また、各時間帯を構成する時間が相違していてもよい。更に、１日を複数の時間帯に分割するのではなく、日数単位で１週間を平日と休日とに区切ってもよい。つまり、所定の規則に則って時間を区切れば、その大きさは特に限定されない。また、これらの期間は機器操作選択装置において不変であってもよいが、ユーザにより設定可能にしておくことが好ましい。つまり、ＣＰＵ１５が、外部のユーザからの所定の期間の入力を受け付ける期間受付手段としても機能するようにしておき、この所定の期間に基づいて各機器に操作履歴情報の送信を要求し、この所定の期間内での各機器の動作状況を把握することが好ましい。このような構成としておけば、ユーザ毎に生活リズムが相違している場合でも、柔軟に対応することができる。
【００４７】
また、上述の実施形態では、機器操作選択装置１０に対するコマンドの入力がリモートコントローラ３０を用いて行われているが、機器操作選択装置１０にスイッチ及びボタン等を設けておけば、入力の一部又は全部をこれらの操作により行ってもよい。
【００４８】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記の印刷処理用のプログラムも本発明の実施形態として適用することができる。上記のプログラム、記録媒体、伝送媒体及びプログラムプロダクトは、本発明の範疇に含まれる。
【図面の簡単な説明】
【００４９】
【図１】本発明の実施形態に係る機器操作選択装置の構成を示すブロック図である。
【図２Ａ】テーブル５１の内容を示す図である。
【図２Ｂ】テーブル５２の内容を示す図である。
【図３】ＣＰＵ１５による表示内容の決定方法を示すフローチャートである。
【図４Ａ】リスト５３の内容を示す図である。
【図４Ｂ】リスト５４の内容を示す図である。
【図５Ａ】動作内容選択画面７１を示す模式図である。
【図５Ｂ】操作対象選択画面７２を示す模式図である。
【図６Ａ】リスト５５の内容を示す図である。
【図６Ｂ】リスト５６の内容を示す図である。
【図７Ａ】動作内容選択画面８１を示す模式図である。
【図７Ｂ】操作対象選択画面８２を示す模式図である。
【符号の説明】
【００５０】
１０：機器操作選択装置
１１：リモコン入力解析部
１２：動作制御信号発生部
１３：ネットワークインターフェース
１４：ＲＡＭ
１５：ＣＰＵ
１６：映像合成部
１７：ＲＯＭ
２０：表示部
３０：リモートコントローラ
４０：電子機器群
７１、８１：動作内容選択画面
７２、８２：操作対象選択画面
【図１】
2009206985.tif 000003
【図２Ａ】
2009206985.tif 000004
【図２Ｂ】
2009206985.tif 000005
【図３】
2009206985.tif 000006
【図４Ａ】
2009206985.tif 000007
【図４Ｂ】
2009206985.tif 000008
【図５Ａ】
2009206985.tif 000009
【図５Ｂ】
2009206985.tif 000010
【図６Ａ】
2009206985.tif 000011
【図６Ｂ】
2009206985.tif 000012
【図７Ａ】
2009206985.tif 000013
【図７Ｂ】
2009206985.tif 000014